(57)【要約】      （修正有）【課題】軽量にして鳥居型建枠に簡単に取り付けられる、と同時に施工途中における一時的な落下防止用巾木の取り外しに対応した機能を備えた落下防止用巾木の保持金具を提供する。【解決手段】巾木の両端部側面のボルトを切り欠き３及び長孔４に挿入し、巾木を鳥居型建枠の単管に固定する落下防止用巾木の保持具である。巾木の取り付けは、単管のブレス固定用ピンに保持金具の孔１または５を挿入することにより簡単にできるし、巾木が邪魔になり作業しにくいときは、巾木の下ボルトを長孔４に挿入したまま上ボルトを切り欠き３から外し、巾木を回転させれば作業の邪魔にならない位置に一時的に移動できる落下防止用巾木の保持金具。【選択図】図１
2011058337.tif 000002
【特許請求の範囲】
【請求項１】
建築現場に設けられる仮設足場用鳥居型建枠の通路に付帯する図１（ａ）のごとくの落下防止用巾木の保持金具であって平時においては該巾木の側面に溶接された符号８及び符号９のボルトを夫々符号３の切欠き部及び符号４の長孔の最下部に置いて該巾木を固定しているが、必要に応じて符号８の上部ボルトのみを該保持金具から外すことができ、１８０度反転させ図４の破線の位置に納めることができる。
また該保持金具は該建枠の単管の要所に設けられているブレス固定用ピンを利用して簡単に該建枠の所定の位置に固定することができる。
以上のごときの特徴を有する落下防止用巾木の保持金具。
【請求項２】
建築現場に設けられる仮設足場用鳥居型建枠の通路に付帯する図１（ｂ）のごとくの落下防止用巾木の保持金具であって請求項１と同じ機能を有する落下防止用巾木の保持金具。
【発明の詳細な説明】
【技術分野】
【０００１】  本発明は、建築現場における作業用仮設足場の付帯物品に関する。該仮設足場に於いてはしばしば作業者が誤って使用している工具等を該仮設足場の上に落としてしまうことがあり、該工具等はその弾みでさらに下の階、あるいは地上面にまで落下することになる。
これは安全衛生上極めて危険なことであり、かねてよりその対策が叫ばれていた。しかしながら該足場の設置効率やコストが優先されて対策が遅れていたが、昨今の安全衛生管理の強化に伴い、緊急の課題となっている。
【背景技術】
【０００２】  従前、上述のごときの課題に対して仮設足場の通路脇に高さ１６０ｍｍ前後の立上り、即ち巾木を設ければよいと言われているが、現在のところ特に制度化されているわけではない。
したがって最近においては、極めて応急的ではあるが仮設足場に使用している足場板を足場の通路脇に垂直に立てた上で、これをなまし鉄線で鳥居型建枠の単管に結束し固定して対応しているという状況である。
【発明の開示】
【発明が解決しようとする課題】
【０００３】  上述のごとくの足場板を使用した応急的な落下防止用立上りでは、求められている立上り寸法より必要以上に大きく、これを設置箇所まで運ぶのに多大な労力を要するのみならず取り付けにも手間が掛かっている。また施工上一時的に該立上りを外す場合があるが、そのときは該立上りの足場板を固定するために用いたなまし鉄線を一旦取り除いて施工終了後に再びなまし鉄線で固定しなければならないなど極めて不便である。
【課題を解決するための手段】
【０００４】  本発明者は鋭意研究した結果、上述のごときの課題を解決する建築足場における落下防止用巾木の保持金具を発明した。即ち鳥居型建枠の単管に簡単に取り付けられと同時に施工途中における一時的な該巾木の取り外しに対応した機能を備えた金具を開発することに成功した。【０００５】  以下、本発明を図に従い、詳しく説明する。
図１（ａ）及び（ｂ）は本発明による保持金具のイメージ図であり、（ａ）は鳥居型建枠の単管に付いているブレス固定用ピンを利用して該金具の位置決めを兼ねて該建枠に固定される。また（ｂ）はまず該単管に単クランプを固定し、その固定した際に該クランプの締め付けナットに螺合する該クランプの雄螺旋部が余剰して２０ｍｍ程度突出した状態になるので該部分を利用して固定される。
ここで符号１はブレス固定用ピンに挿入される孔、符号２は鳥居型建枠の単管に該金具を堅合させるための折り曲げ部、符号３は落下防止用巾木側面の上部ボルトが挿入される切欠き部、符号４は同じく下部ボルトが挿入される長孔である。また符合５は上述単クランプの雄螺旋部に該金具をあずけるための孔である。該保持金具（ａ）及び（ｂ）はいずれも強度、加工性を考慮して厚さ３ｍｍの鋼板を加工して造られている。
図２は落下防止用巾木のイメージ図であり、ここで符号６は等辺山型鋼で造られた枠、符号７は該枠の内側に溶接にて固定されたピッチ３０ｍｍ程度の溶接金網、符号８は符号６の側面上部に垂直に溶接されたボルト、同じく符号９は下部に溶接されたボルトであり、それぞれ符号３の切欠き部及び符号４の孔に納まる。
図３（ｃ）は該金具（ａ）に図２の巾木を設置したときのイメージ図であり、同じく（ｄ）は該金具（ｂ）に該巾木を設置したときのイメージ図である。ここで符号１０は鳥居型建枠の単管、符号１１は同じくブレス、符号１２は該ブレスを固定するピンで単管の要所要所に付いている。符号１３は単クランプ、符号１４は該建枠の通路に使用されている足場板である。
図４は図３（ｃ）の巾木納まり部の側面図であり、保持金具（ａ）及び（ｂ）において若干の寸法の違いはあるが形状は同じである。
該側面図から明らかなように図２の落下防止用巾木に固定されている符号８のボルトを符号３の切欠きの上端まで持ち上げても同じく符号９のボルトは符号４の長孔の上端まで達しないので図２の巾木全体を該保持金具から外すことなく符号８のボルトを矢印の方向即ち躯体側に回転させて図２の巾木を破線の位置に停滞させることができ、したがって通常、該巾木が立ち上がっているために施工できない部分の躯体の施工空間が確保される仕組みである。
【発明の効果】
【０００６】  上述のごとくの本発明による落下防止用巾木の保持金具を使用すれば従来のように応急的に足場板を取り付けたり、上述のごとく該足場板を施工途中で一時的に外す必要があることからくる煩雑な作業を行わないで済むのである。
また、該巾木及び保持金具は現状巾木替わりに使用している足場板に比べて極めて軽量であり所定の場所まで運搬する労力を低減できるだけでなく該足場板より安価で提供できることを特徴としている。以上のように本発明による保持金具を使用することによる経済的効果は非常に多大である。
【実施例】
【０００７】  足場板の通路面からの立上りの高さを概ね１６５ｍｍから１８０ｍｍ、また鳥居型建枠の単管のスパンを一般的な１８２９ｍｍに設定して図１（ａ）及び（ｂ）の２種類の保持金具と該保持金具に夫々適合した図２のごときの巾木を試作し、実際の建築現場で試用した。
その結果、まず軽量であることから従来の足場板に比べて運搬の労力が低減されること同じく取付け時間が短縮されることが確認された。そして最重点課題である巾木の一時的な撤去に相当する図４に示したごとくの機能を有することが確認された。
【図面の簡単な説明】
【０００８】
【図１】  （ａ）及び（ｂ）とも保持金具のイメージ図
【図２】  巾木のイメージ図
【図３】  （ｃ）及び（ｄ）とも設置状態のイメージ図
【図４】  設置状態の側面図
【符号の説明】
【０００９】  １，ブレス固定用ピンに挿入される孔
２，固定用折り曲げ部
３，切欠き部
４，長孔
５，固定用孔
６，巾木の枠
７，溶接金網
８，上部ボルト
９，下部ボルト
１０，単管
１１，ブレス
１２，ブレス固定用ピン
１３，単クランプ
１４，足場板
【図１】
2011058337.tif 000003
【図２】
2011058337.tif 000004
【図３】
2011058337.tif 000005
【図４】
2011058337.tif 000006